(57)【特許請求の範囲】
【請求項１】
プロセッサと、メモリと、ディスプレイとを備える医用画像装置であって、
前記メモリには、前記医用画像装置のログデータが記憶されており、
前記プロセッサは、
前記メモリから前記ログデータを読み出し、
該ログデータに含まれる前記医用画像装置の使用状態に関する複数の項目の各々について、使用状態の時間変化を示す時間変化データを作成し、
該時間変化データに基づいて、前記複数の項目の各々についての使用状態の時間変化を示すグラフの各々を、互いに共通する時間軸で並列して前記ディスプレイに表示する、よう構成される医用画像装置。
【請求項２】
前記グラフは、棒グラフ及び線グラフの少なくとも一方であり、前記棒グラフ及び前記線グラフの横軸が、互いに共通する時間軸を構成し、
前記棒グラフは、前記複数の項目の各々について、複数の使用状態の各々の継続時間に応じた長さを有する部分が、複数の使用状態の各々の時間的順序に従って配置され、なおかつ複数の使用状態の各々に応じた色又は模様で表示され、
前記線グラフは、数値の時間変化を示す、請求項１に記載の医用画像装置。
【請求項３】
前記複数の項目は、前記医用画像装置の起動状態を含む、請求項１又は２に記載の医用画像装置。
【請求項４】
被検体に対して超音波スキャンを実行してエコー信号を受信可能な複数の超音波プローブをさらに備え、
前記プロセッサは、前記複数の超音波プローブの中から選択された超音波プローブが受信した超音波のエコー信号に基づいて前記被検体の超音波画像を作成して、前記ディスプレイに表示するよう構成され、
前記複数の項目は、前記複数の超音波プローブの中から選択された前記超音波プローブ、前記超音波スキャンのアプリケーション、前記超音波スキャンのスキャンモード及び前記超音波画像の表示状態の少なくとも一つを含む、請求項３に記載の医用画像装置。
【請求項５】
前記複数の項目は、前記医用画像装置の駆動電源及び前記医用画像装置のバッテリーの残容量の少なくとも一つを含む、請求項４に記載の医用画像装置。
【請求項６】
操作者の入力を受け付けるユーザインタフェースをさらに備えており、
該ユーザインタフェースは、前記ディスプレイに表示する前記グラフの項目を特定する入力を受け付けるよう構成され、
前記プロセッサは、前記ユーザインタフェースが入力を受け付けた項目について前記グラフを表示する、請求項１〜５に記載のいずれか一項に記載の医用画像装置。
【請求項７】
操作者の入力を受け付けるユーザインタフェースをさらに備えており、
該ユーザインタフェースは、前記ディスプレイに表示する前記グラフの期間を特定する入力を受け付けるよう構成され、
前記プロセッサは、前記ユーザインタフェースが入力を受け付けた期間について前記グラフを表示する、請求項１〜６に記載のいずれか一項に記載の医用画像装置。
【請求項８】
さらに前記プロセッサは、前記ディスプレイに表示されたグラフにおいて、該グラフを再表示する期間を指示する図形を表示するよう構成され、
前記ユーザインタフェースは、前記グラフを再表示する期間を前記図形によって指示する入力を受け付けるよう構成され、
前記プロセッサは、前記ユーザインタフェースが、前記グラフを再表示する期間を前記図形によって指示する入力を受け付けると、前記図形によって指示される期間の前記グラフを再表示する、請求項６又は７に記載の医用画像装置。
【請求項９】
プロセッサと、メモリと、ディスプレイとを備える医用画像装置の制御プログラムであって、
前記プロセッサに、
前記医用画像装置のログデータが記憶された前記メモリから前記ログデータを読み出し、
該ログデータに含まれる前記医用画像装置の使用状態に関する複数の項目の各々について、使用状態の時間変化を示す時間変化データを作成し、
該時間変化データに基づいて、前記複数の項目の各々についての使用状態の時間変化を示すグラフの各々を、互いに共通する時間軸で並列して前記ディスプレイに表示する、ことを実行させる医用画像装置の制御プログラム。
【請求項１０】
医用画像装置と、該医用画像装置とネットワークを介して接続されるサーバとを備えるシステムであって、
前記医用画像装置は、第１のプロセッサ及び前記医用画像装置のログデータが記憶されるメモリを有し、
前記サーバは、第２のプロセッサ及びディスプレイを有し、
前記第１のプロセッサは、前記メモリから前記ログデータを読み出して、前記ネットワークを介して前記サーバへ出力し、
前記第２のプロセッサは、前記ネットワークを介して前記サーバへ入力された前記ログデータに含まれる前記医用画像装置の使用状態に関する複数の項目の各々について、使用状態の時間変化を示す時間変化データを作成し、該時間変化データに基づいて、前記複数の項目の各々についての使用状態の時間変化を示すグラフの各々を、互いに共通する時間軸で並列して前記ディスプレイに表示する、よう構成されるシステム。
【請求項１１】
医用画像装置と、該医用画像装置とネットワークを介して接続されるサーバとを備えるシステムであって、
前記医用画像装置は、第１のプロセッサ及びディスプレイを有し、
前記サーバは、第２のプロセッサ及び前記医用画像装置のログデータが記憶されるメモリを有し、
前記第２のプロセッサは、前記メモリから前記ログデータを読み出し、該ログデータに含まれる前記医用画像装置の使用状態に関する複数の項目の各々について、使用状態の時間変化を示す時間変化データを作成し、該時間変化データに基づいて、前記複数の項目の各々についての使用状態の時間変化を示すグラフの各々を作成して前記ネットワークを介して前記医用画像装置へ出力し、
前記第１のプロセッサは、前記グラフの各々を互いに共通する時間軸で並列して前記ディスプレイに表示する、よう構成されるシステム。
【発明の詳細な説明】
【技術分野】
【０００１】
本発明は、被検体の医用画像を取得する医用画像装置、その制御プログラム及び医用画像装置を含むシステムに関する。
【背景技術】
【０００２】
医用画像装置の使用状態は、ログデータとして記録されている。従って、装置の使用状態は、ログデータに基づいて解析することができる（例えば、特許文献１参照）。
【先行技術文献】
【特許文献】
【０００３】
【特許文献１】特許第３７２５５２２号
【発明の概要】
【発明が解決しようとする課題】
【０００４】
医用画像装置において、ある時点までに行われてきた操作やシステム内部に起こった変化などの装置の様々な使用状態が総合的に把握されることがある。例えば、超音波診断装置において不具合が発生すると、不具合の原因を特定するために、超音波診断装置の様々な使用状態が総合的に把握される。様々な使用状態には、例えば装置の起動状態、超音波プローブの種類、超音波スキャンのアプリケーションの種類、超音波スキャンのスキャンモードの種類、超音波スキャンの状態及び駆動電源の種類などが含まれる。
【０００５】
不具合を特定するためには、ある時点における装置の使用状態を把握するだけでなく、使用状態がどのように変遷したかを把握している。装置の使用状態は、ログデータから把握することができるものの、特定の使用状態の変遷を追うことは難しい。さらに、使用状態の変遷を複数の使用状態について把握することも困難を伴う。
【課題を解決するための手段】
【０００６】
一の観点の発明は、プロセッサと、メモリと、ディスプレイとを備える医用画像装置である。前記メモリには、前記医用画像装置のログデータが記憶されている。前記プロセッサは、前記メモリから前記ログデータを読み出し、このログデータに含まれる前記医用画像装置の使用状態に関する複数の項目の各々について、使用状態の時間変化を示す時間変化データを作成し、この時間変化データに基づいて、前記複数の項目の各々についての使用状態の時間変化を示すグラフの各々を、互いに共通する時間軸で並列して前記ディスプレイに表示する、よう構成される。
【発明の効果】
【０００７】
上記観点の発明によれば、医用画像装置の使用に関する複数の項目の各々についての使用状態の時間変化を示すグラフが、互いに共通する時間軸で並列して表示されるので、医用画像装置の様々な使用状態の変遷を俯瞰的に把握することができる。
【図面の簡単な説明】
【０００８】
【図１】実施形態による超音波診断装置を示す概略図である。
【図２】ディスプレイに表示されるグラフの一例を示す図である。
【図３】実施形態による処理の一例を示すフローチャートである。
【図４】ディスプレイに表示されたグラフにおいて、グラフを再描画する期間を特定する図形を説明する図である。
【図５】実施形態によるシステムを示す概略図である。
【発明を実施するための形態】
【０００９】
以下、実施形態について図面を参照して説明する。
【００１０】
（第１実施形態）
先ず、第１実施形態について説明する。図１は、医用画像装置の一例である第１実施形態の超音波診断装置１を示している。図１に示す超音波診断装置１は、少なくとも１つの超音波プローブ２を含み、さらに送信ビームフォーマ３及び送信機４を含む。図１では、１つの超音波プローブ２のみが図示されているが、超音波診断装置１は、検査部位や検査の種類などに応じて複数の超音波プローブ２を含んでいてもよい。
【００１１】
超音波プローブ２は、被検体に対して超音波スキャンを実行してエコー信号を受信する。複数の超音波プローブ２を有する場合、選択された超音波プローブ２が超音波スキャンを実行しエコー信号を受信する。より具体的には、超音波プローブ２は、パルス超音波を被検体（図示せず）に放射する複数の振動素子２ａを有する。複数の振動素子２ａは、送信ビームフォーマ３および送信機４によってドライブされパルス超音波を放射する。
【００１２】
超音波診断装置１は、さらに受信機５及び受信ビームフォーマ６を含む。振動素子２ａから放射されたパルス超音波は、被検体内において反射して振動素子２ａに戻るエコーを生成する。エコーは、振動素子２ａによって電気信号に変換されてエコー信号となり、受信機５に入力される。エコー信号は、受信機５において所要のゲインによる増幅等が行なわれた後に受信ビームフォーマ６に入力され、この受信ビームフォーマ６において受信ビームフォーミングが行われる。受信ビームフォーマ６は、受信ビームフォーミング後の超音波データを出力する。
【００１３】
受信ビームフォーマ６は、ハードウェアビームフォーマであってもソフトウェアビームフォーマであってもよい。受信ビームフォーマ６がソフトウェアビームフォーマである場合、受信ビームフォーマ６は、グラフィックス処理ユニット（ＧＰＵ）、マイクロプロセッサ、中央処理装置（ＣＰＵ）、デジタル信号プロセッサ（ＤＳＰ）、または論理演算を実行することができる他の種類のプロセッサのうちの任意の１つまたは複数を含む１つまたは複数のプロセッサを備えることができる。受信ビームフォーマ６を構成するプロセッサは、後述のプロセッサ７とは別のプロセッサで構成されていてもよいし、プロセッサ７で構成されていてもよい。
【００１４】
超音波プローブ２は、送信ビームフォーミングおよび／または受信ビームフォーミングの全部または一部を行うための電気回路を含むことができる。例えば、送信ビームフォーマ３、送信機４、受信機５、および受信ビームフォーマ６の全部または一部は、超音波プローブ２内に設けられていてもよい。
【００１５】
超音波診断装置１は、送信ビームフォーマ３、送信機４、受信機５、および受信ビームフォーマ６を制御するためのプロセッサ７も含む。さらに、超音波診断装置１は、ディスプレイ８、メモリ９及びユーザインタフェース１０を含む。
【００１６】
プロセッサ７は、超音波プローブ２と電子通信している。プロセッサ７は、超音波プローブ２を制御して超音波データを取得することができる。プロセッサ７は、振動素子２ａのどれがアクティブであるか、および超音波プローブ２から送信される超音波ビームの形状を制御する。プロセッサ７はまた、ディスプレイ８とも電子通信しており、プロセッサ７は、超音波データを処理してディスプレイ８上に表示するための超音波画像にすることができる。「電子通信」という用語は、有線通信と無線通信の両方を含むように定義することができる。プロセッサ７は、一実施形態によれば中央処理装置（ＣＰＵ）を含むことができる。他の実施形態によれば、プロセッサ７は、デジタル信号プロセッサ、フィールドプログラマブルゲートアレイ（ＦＰＧＡ）、グラフィックスプロセッシングユニット（ＧＰＵ）、または他のタイプのプロセッサなど、処理機能を実行することができる他の電子構成要素を含むことができる。他の実施形態によれば、プロセッサ７は、処理機能を実行することができる複数の電子構成要素を含むことができる。例えばプロセッサ７は、中央処理装置、デジタル信号プロセッサ、フィールドプログラマブルゲートアレイ、およびグラフィックスプロセッシングユニットを含む電子構成要素のリストから選択された２つ以上の電子構成要素を含むことができる。
【００１７】
プロセッサ７は、ＲＦデータを復調する複合復調器（図示せず）を含むこともできる。別の実施形態では、処理チェーンの早いうちに復調を実行することができる。
【００１８】
プロセッサ７は、複数の選択可能な超音波モダリティに従った１つまたは複数の処理動作をデータに行うように構成されている。エコー信号が受信されるとき、データは走査セッション中にリアルタイムで処理することができる。この開示のために、「リアルタイム」という用語は、いかなる意図的な遅延もなく行われる手順を含むように定義される。
【００１９】
また、データは、超音波の走査中に一時的にバッファ（図示せず）に格納し、ライブ操作またはオフライン操作でリアルタイムではなく処理することができる。この開示において、「データ」という用語は、本開示においては、超音波診断装置を用いて取得される１つまたは複数のデータセットを指すように使用することができる。
【００２０】
超音波データは、プロセッサ７によって他のまたは異なるモード関連モジュール（例えば、Ｂモード、カラードップラ、Ｍモード、カラーＭモード、スペクトルドップラ、エラストグラフィ、ＴＶＩ、歪み、歪み速度、など）で処理して超音波画像のデータを作ることができる。例えば、１つまたは複数のモジュールが、Ｂモード、カラードップラ、Ｍモード、カラーＭモード、スペクトルドップラ、エラストグラフィ、ＴＶＩ、歪み、歪み速度、およびそれらの組合せ、などの超音波画像を生成することができる。画像ビームおよび／または画像フレームは保存され、データがメモリに取得された時を示すタイミング情報を記録することができる。前記モジュールは、例えば、画像フレームを座標ビーム空間から表示空間座標に変換するために走査変換演算を実行する走査変換モジュールを含むことができる。被検体に処置が実施されている間にメモリから画像フレームを読み取り、その画像フレームをリアルタイムで表示する映像プロセッサモジュールが設けられてもよい。映像プロセッサモジュールは画像フレームを画像メモリに保存することができ、超音波画像は画像メモリから読み取られディスプレイ８に表示される。
【００２１】
なお、走査変換演算前の超音波データをローデータ（ｒａｗ ｄａｔａ）というものとする。また、走査変換演算後のデータを画像データというものとする。
【００２２】
プロセッサ７が複数のプロセッサを含む場合、プロセッサ７が担当する上述の処理タスクを、複数のプロセッサが担当してもよい。例えば、第１のプロセッサを使用して、ＲＦ信号を復調および間引きすることができ、第２のプロセッサを使用して、データをさらに処理した後、画像を表示することができる。
【００２３】
また、例えば受信ビームフォーマ６がソフトウェアビームフォーマである場合、その処理機能は、単一のプロセッサで実行されてもよいし、複数のプロセッサで実行されてもよい。
【００２４】
ディスプレイ８は、ＬＥＤ（Ｌｉｇｈｔ  Ｅｍｉｔｔｉｎｇ  Ｄｉｏｄｅ）ディスプレイ、ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイなどである。
【００２５】
メモリ９は、任意の既知のデータ記憶媒体であり、非一過性の記憶媒体及び一過性の記憶媒体を含む。非一過性の記憶媒体は、例えば、ＨＤＤ（Ｈａｒｄ  Ｄｉｓｋ  Ｄｒｉｖｅ：ハードディスクドライブ）、ＲＯＭ（Ｒｅａｄ  Ｏｎｌｙ  Ｍｅｍｏｒｙ）などの不揮発性の記憶媒体である。非一過性の記憶媒体は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの可搬性の記憶媒体を含んでいてもよい。プロセッサ７によって実行されるプログラムは、非一過性の記憶媒体に記憶されている。
【００２６】
さらに、メモリ９を構成する非一過性の記憶媒体には、超音波診断装置１のログデータが記憶されている。ログデータは、超音波診断装置１の動作など使用状態に関する情報を示すデータである。
【００２７】
一過性の記憶媒体は、ＲＡＭ（Ｒａｎｄｏｍ  Ａｃｃｅｓｓ  Ｍｅｍｏｒｙ）などの揮発性の記憶媒体である。
【００２８】
ユーザインタフェース１０は、操作者の入力を受け付ける。例えば、ユーザインタフェース１０は、ユーザーからの指示や情報などの入力を受け付ける。ユーザインタフェース１０は、キーボード（ｋｅｙｂｏａｒｄ）、ハードキー（ｈａｒｄ  ｋｅｙ）、トラックボール（ｔｒａｃｋｂａｌｌ）、ロータリーコントロール（ｒｏｔａｒｙ  ｃｏｎｔｒｏｌ）及びソフトキー等を含んで構成されている。ユーザインタフェース１０は、ソフトキー等を表示するタッチスクリーンを含んでいてもよい。
【００２９】
さらに、超音波診断装置１は、特に図示しないが、電源として、外部電源の他、バッテリーを有している。
【００３０】
次に、本例の超音波診断装置の作用について説明する。プロセッサ７は、図２に示すグラフＧをディスプレイ８に表示する。グラフＧは、超音波診断装置１の使用状態に関する複数の項目の各々についての使用状態の時間変化を示す。グラフＧは、複数の棒グラフＢＧ１〜ＢＧ６及び線グラフＬＧを含んでいる。棒グラフＢＧ１〜ＢＧ６及び線グラフＬＧの横軸が、時間軸を表す。
【００３１】
一例では、複数の項目は、図２に示すように、超音波診断装置１の起動状態、超音波診断装置１において使用される超音波プローブ２、超音波スキャンのアプリケーション、超音波スキャンのスキャンモードを含む。さらに、複数の項目は、超音波画像の表示状態、超音波診断装置１の駆動電源及びバッテリーの残容量を含む。
【００３２】
これら複数の項目の各々は、複数の使用状態を含みうる。棒グラフＢＧ１〜ＢＧ６は、複数の項目の各々について、例えば複数の使用状態の各々に応じた色を含んでいる。より詳細には、棒グラフＢＧ１〜ＢＧ６は、複数の項目の各々について、複数の使用状態の各々の継続時間に応じた長さを有する部分が、複数の使用状態の各々の時間的順序に従って配置され、なおかつ複数の使用状態の各々に応じた色で表示されている。これは、棒グラフＢＧ１〜ＢＧ６における色の違いが、複数の使用状態の時間変化を示すことを意味する。図２（後述の図４も同様）では、ドット（ｄｏｔ）の密度の違いやグレーレベルの違いが色の違いを表している。
【００３３】
複数の項目の各々についての複数の使用状態を説明する。超音波診断装置１の起動状態は、超音波診断装置１が起動している状態と起動していない状態を含みうる。棒グラフＢＧ１は、起動状態に応じた異なる色を表示して起動状態の時間変化を示す。
【００３４】
使用される超音波プローブ２は、超音波診断装置１が有する複数の超音波プローブ２を含みうる。棒グラフＢＧ２は、使用された超音波プローブ２に応じて異なる色を表示し、使用された超音波プローブ２の時間変化を示す。
【００３５】
超音波スキャンのアプリケーションは、検査種別等に応じて選択的に使用される複数のアプリケーションソフトウェアを含みうる。例えば、超音波スキャンのアプリケーションは、腹部検査用アプリケーション、頸動脈検査用アプリケーションなどを含んでいる。棒グラフＢＧ３は、使用されたアプリケーションに応じて異なる色を表示し、使用されたアプリケーションの時間変化を示す。
【００３６】
超音波スキャンのスキャンモードは、Ｂモード、ハーモニックモード、カラードプラモード、ＰＷドプラモードなど、超音波診断装置１で使用される複数のモードを含みうる。棒グラフＢＧ４は、使用されたスキャンモードに応じて異なる色を表示し、使用されたスキャンモードの時間変化を示す。
【００３７】
超音波画像の表示状態は、超音波画像として、静止画（フリーズ画像）が表示されている状態と、動画（ライブ画像）が表示されている状態を含みうる。棒グラフＢＧ５は、超音波画像の表示状態に応じて異なる色を表示し、超音波画像の表示状態の時間変化を示す。超音波画像の表示状態には、例えば、Ｂモード画像とＰＷドプラ画像とが重畳して表示されるなど、一つの画面に複数の超音波画像が表示されている場合における各々の超音波画像の表示状態（静止画と動画の区別）が含まれていてもよい。例えば、Ｂモード画像とＰＷドプラ画像とが重畳して表示されている場合、Ｂモード画像がフリーズ画像である一方でＰＷドプラ画像がライブ画像である第１の表示状態と、Ｂモード画像がライブ画像でＰＷ画像がフリーズ画像である第２の表示状態とでは、棒グラフＢＧ５は異なる色を表示する。
【００３８】
駆動電源は、超音波診断装置１の電源であり、外部電源とバッテリーを含みうる。棒グラフＢＧ６は、使用された駆動電源に応じて異なる色を表示し、使用された駆動電源の時間変化を示す。
【００３９】
バッテリーの残容量は、超音波診断装置１のバッテリーの残容量（％）である。バッテリーの残容量は、所要の時間間隔で監視されログデータに記録されている。このバッテリーの残容量については、所要の時間ごとに変化する残容量が複数の状態を意味する。線グラフＬＧは、超音波診断装置１のバッテリーの残容量の時間変化を示し、縦軸がバッテリーの残容量を示す。線グラフＬＧの縦軸は、バッテリーの残容量を示す数値を表示してもよい（図２では図示省略）。
【００４０】
棒グラフＢＧ１〜ＢＧ６と線グラフＬＧは、互いに共通する時間軸で、時間軸と直交する方向に並列して表示される。時間軸は、時間を示す数値を表示してもよい。例えば、時間軸は、左端と右端にグラフＧの開始時間と終了時間を表示してもよい（図２では図示省略）。
【００４１】
グラフＧを表示することは、超音波診断装置１における複数の項目の各々における使用状態の時間変化を共通の時間軸でまとめて表示することを意味する。このことは、超音波診断装置１がどのように使用されたかを俯瞰して把握することを可能とする。
【００４２】
プロセッサ７は、ディスプレイ８に表示されたグラフＧに、特定の時間を示す図形を表示してもよい。図２は、特定の時間を示す図形として破線Ｌを示している。このような破線Ｌは、それが特定する時点での複数の使用状態を把握することを容易なものとする。例えば、破線Ｌが示す時刻では、駆動電源が外部電源からバッテリーに切り替わったところであり、そのとき選択されていた超音波プローブ２や他の情報も瞬時に把握することができる。
【００４３】
例えば、超音波診断装置１において不具合が発生した後に、ユーザーはグラフＧを確認して、不具合が発生するまでの使用状態を全体的に把握することができ、なおかつある時刻での複数の項目の使用状態を容易に把握することができる。これは、不具合の原因をより容易に特定することに役立つ。
【００４４】
図３は、グラフＧを表示する処理を説明するフローチャートである。先ず、ステップＳ１では、ユーザインタフェース１０が、ユーザーによる入力を受け付ける。ここでの入力は、ディスプレイ８がグラフＧを表示するようユーザーが要求する入力である。
【００４５】
ステップＳ２では、プロセッサ７は、メモリ９に記憶されているログデータを読み出す。ステップＳ３では、ユーザインタフェース１０が、ユーザーの入力を受け付ける。ここでの入力は、ディスプレイ８に表示するグラフＧの複数の項目を特定する入力である。ステップＳ４では、プロセッサ７は、ステップＳ３において特定された複数の項目の各々について、使用状態の時間変化を示す時間変化データを作成する。プロセッサ７は、時間変化データをログデータに基づいて作成する。時間変化データは、複数の項目の各々について、複数の使用状態の各々を示す情報を含み、さらにこれら複数の使用状態の時間的な順序及び継続時間の情報を含む。
【００４６】
ステップＳ５では、ユーザインタフェース１０が、ユーザーの入力を受け付ける。ここでの入力は、ディスプレイ８に表示するグラフＧの期間を特定する入力である。
【００４７】
プロセッサ７は、ステップＳ６において、時間変化データに基づいてグラフＧを作成し、このグラフＧをステップＳ７においてディスプレイ８に表示する。プロセッサ７は、ステップＳ５において特定された期間についてのグラフＧ、言い換えれば棒グラフＧ１〜Ｇ６及び線グラフＬＧを作成して表示する。
【００４８】
ステップＳ８では、プロセッサ７は、表示されたグラフＧの項目を変更するか否かを判定する。この変更は、項目の追加又は削除である。プロセッサ７は、項目を変更するか否かをユーザーに問うメッセージをディスプレイ８に表示してもよい。
【００４９】
ステップＳ８において、例えばユーザインタフェース１０が、項目を変更することを指示するユーザーによる入力を受け付けると、プロセッサ７は、項目を変更すると判定する（ステップＳ８において「ＹＥＳ」）。一方、ステップＳ８において、例えばユーザインタフェース１０が、項目を変更しないことを指示するユーザーによる入力を受け付けると、プロセッサ７は、項目を変更しないと判定する（ステップＳ８において「ＮＯ」）。
【００５０】
ステップＳ８において、項目を変更すると判定された場合、処理がステップＳ３へ戻る。このステップＳ３では、ユーザインタフェース１０が、変更する項目のユーザーによる入力を受け付ける。具体的には、ユーザーは、グラフＧを見て確認したい新たな項目や、既に表示されているグラフＧのうち削除したい不要な項目を入力する。項目が追加された場合、少なくともその項目についてステップＳ４以降の処理が行なわれ、追加された項目を新たに含むグラフＧが、ステップＳ７において表示される。項目が削除された場合、削除された項目を除く項目のグラフＧがステップＳ７において表示される。この場合、ステップＳ４〜Ｓ６までの処理が改めて行なわれなくてもよい。
【００５１】
ステップＳ８において、項目を変更しないと判定された場合、処理がステップＳ９へ移行する。ステップＳ９では、プロセッサ７は、表示されたグラフＧの期間を変更するか否かを判定する。例えば、プロセッサ７は、期間を変更するか否かをユーザーに問うメッセージをディスプレイ８に表示してもよい。
【００５２】
ステップＳ９において、例えばユーザインタフェース１０が、期間を変更することを指示するユーザーによる入力を受け付けると、プロセッサ７は、期間を変更すると判定する（ステップＳ９において「ＹＥＳ」）。一方、ステップＳ８において、例えばユーザインタフェース１０が、期間を変更しないことを指示するユーザーによる入力を受け付けると、プロセッサ７は、項目を変更しないと判定する（ステップＳ９において「ＮＯ」）。
【００５３】
ステップＳ９において、期間を変更すると判定された場合、処理がステップＳ５へ戻る。このステップ５では、ユーザインタフェース１０が、グラフＧを再表示したい期間のユーザーによる入力を受け付ける。この入力を受け付けるため、このステップＳ５では、プロセッサ７は、ディスプレイ８に表示されたグラフＧにおいて、グラフＧを再表示する期間を指示する図形を、ディスプレイ８に表示してもよい。例えば、プロセッサ７は、図４に示すように、図形として四角形Ｓを表示してもよい。グラフＧにおける四角形Ｓの位置及び四角形Ｓの時間軸方向の長さが、グラフＧを再表示したい期間を特定する。四角形Ｓが表示された後、ユーザインタフェース１０は、四角形Ｓの位置及び四角形Ｓの時間軸方向の長さを調整して確定するユーザーの入力を受け付けることができる。
【００５４】
新たな期間が特定されると、新たな期間のグラフＧがステップＳ６において作成され、ステップＳ７において表示される。
【００５５】
ステップＳ９において、期間を変更しないと判定された場合、処理がステップＳ１０へ移行する。ステップＳ１０では、プロセッサ７は、処理を終了するか否かを判定する。例えば、ユーザインタフェース１０が、処理を終了する入力を受け付けると、プロセッサ７は、処理を終了すると判定する（ステップＳ１０において「ＹＥＳ」）。一方、処理を終了しないと判定されると（ステップＳ１０において「ＮＯ」）処理が継続される。
【００５６】
（第２実施形態）
次に、第２実施形態について説明する。図５は、第２実施形態のシステム１００を示している。システム１００は、超音波診断装置１とサーバ１０１を備える。超音波診断装置１及びサーバ１０１は、ネットワーク１０２を介して接続されている。
【００５７】
超音波診断装置１は、第１実施形態と同様の構成であり、各構成要素についての詳細な説明を省略する。ただし、第２実施形態は、超音波診断装置１のプロセッサ７、ディスプレイ８、メモリ９及びユーザインタフェース１０を、第１のプロセッサ７、第１のディスプレイ、第１のメモリ９及び第１のユーザインタフェース１０として説明する。超音波診断装置１の構成要素として、図５では第１のプロセッサ７、第１のディスプレイ８、第１のメモリ９及び第１のユーザインタフェース１０のみが図示されているが、第２実施形態における超音波診断装置１は、他にも図１に示された構成要素を有している。
【００５８】
サーバ１０１は、公知のサーバの構成要素を有し、第２のプロセッサ１０３、第２のディスプレイ１０４、第２のメモリ１０５及び第２のユーザインタフェース１０６を有している。サーバ１０１は、例えば超音波診断装置１を含む複数の超音波診断装置を管理する管理センターに設置されていてもよい。
【００５９】
本例の作用について説明する。本例では、サーバ１０１の第２のプロセッサ１０３が第２のディスプレイ１０４に、図２に示すグラフＧを表示する。グラフＧを第２のディスプレイ１０４に表示する処理は、図３に示すフローチャートに沿って行なわれる。ただし、処理を行なう主体が第１実施形態と異なる。
【００６０】
ステップＳ１では、グラフＧを表示するよう要求する入力を、第２のユーザインタフェース１０６が受け付ける。また、ステップＳ１では、第２のプロセッサ１０３は、超音波診断装置１に対し、ログデータを要求する信号をネットワーク１０２を介して出力する。
【００６１】
ステップＳ２では、第１のプロセッサ７は、メモリ９に記憶されているログデータを読み出し、ネットワーク１０２を介してサーバ１０１へ出力する。ログデータは、第２のメモリ１０５に格納されてもよい。
【００６２】
ステップＳ３では、第２のディスプレイ１０４に表示するグラフＧの複数の項目を特定する入力を、第２のユーザインタフェース１０６が受け付ける。ステップＳ４では、第２のプロセッサ１０３が時間変化データを作成する。
【００６３】
ステップＳ５では、第２のディスプレイ１０４に表示するグラフＧの期間を特定する入力を、第２のユーザインタフェース１０６が受け付ける。ステップＳ６及びＳ７においては、第２のプロセッサ１０３がグラフＧを作成し第２のディスプレイ１０４に表示する。
【００６４】
ステップＳ８では、第２のプロセッサ１０３が、グラフＧの項目を変更するか否かを判定する。第２のプロセッサ１０３は、項目を変更するか否かをユーザーに問うメッセージを第２のディスプレイ１０４に表示してもよい。
【００６５】
項目を変更することを指示する入力を、第２のユーザインタフェース１０６が受け付けると、第２のプロセッサ１０３は、項目を変更すると判定する。一方、項目を変更しないことを指示する入力を、第２のユーザインタフェース１０６が受け付けると、第２のプロセッサ１０３は、項目を変更しないと判定する。
【００６６】
処理がステップＳ８からＳ３へ戻った場合のユーザーによる入力も、第２のユーザインタフェース１０６が受け付ける。
【００６７】
ステップＳ９では、第２のプロセッサ１０３は、表示されたグラフＧの期間を変更するか否かを判定する。例えば、第２のプロセッサ１０３は、期間を変更するか否かをユーザーに問うメッセージを第２のディスプレイ１０４に表示してもよい。
【００６８】
期間を変更することを指示するユーザーによる入力を、第２のユーザインタフェース１０６が受け付けると、第２のプロセッサ１０３は、期間を変更すると判定する。一方、期間を変更しないことを指示するユーザーによる入力を、第２のユーザインタフェース１０６が受け付けると、第２のプロセッサ１０３は、項目を変更しないと判定する。
【００６９】
処理がステップＳ９からステップＳ５へ戻った場合のユーザーの入力も、第２のユーザインタフェース１０６が受け付ける。第２のプロセッサ１０３は、グラフＧを再表示する期間を指示する図形を第２のディスプレイ１０４に表示する。
【００７０】
ステップＳ１０では、第２のプロセッサ１０３が終了判定を行なう。
【００７１】
次に、変形例について説明する。この変形例では、超音波診断装置１の第１のディスプレイ８に、図２に示すグラフＧが表示される。また、サーバ１０１の第２のメモリ１０５には、超音波診断装置１のログデータが記憶されている。
【００７２】
グラフＧを第１のディスプレイ８に表示する処理は、図３に示すフローチャートに沿って行なわれる。ただし、処理を行なう主体が上述の説明と異なる。ステップＳ１では、グラフＧを表示するよう要求する入力を、第１のユーザインタフェース１０が受け付ける。また、ステップＳ１では、第１のプロセッサ７は、サーバ１０１に対し、グラフＧを表示するよう要求する入力があったことを示す信号をネットワーク１０２を介して出力する。
【００７３】
ステップＳ２では、ステップＳ１で出力された第１のプロセッサ７からの信号が入力されると、第２のプロセッサ１０３は、第２のメモリ１０５に記憶されているログデータを読み出す。
【００７４】
ステップＳ３では、第１のディスプレイ８に表示するグラフＧの複数の項目を特定する入力を、第１のユーザインタフェース１０が受け付ける。また、ステップＳ３では、第１のプロセッサ７は、第１のユーザインタフェース１０において入力された項目を、サーバ１０１に対しネットワーク１０２を介して出力する。
【００７５】
ステップＳ４では、ステップＳ３で出力された項目が入力されると、その項目について、第２のプロセッサ１０３が時間変化データを作成する。
【００７６】
ステップＳ５では、第１のディスプレイ８に表示するグラフＧの期間を特定する入力を、第１のユーザインタフェース１０が受け付ける。また、ステップＳ５では、第１のプロセッサ７は、第１のユーザインタフェース１０において入力された期間を、サーバ１０１に対してネットワーク１０２を介して出力する。
【００７７】
ステップＳ６においては、ステップＳ５で出力された期間が入力されると、その期間について、第２のプロセッサ１０３が、時間変化データに基づいてグラフＧを作成する。また、ステップＳ６において、第２のプロセッサ１０３は、グラフＧを超音波診断装置１に対してネットワーク１０２を介して出力する。
【００７８】
ステップＳ７では、ステップＳ６において出力されたグラフＧが入力されると、そのグラフＧを第１のプロセッサ７が第１のディスプレイ８に表示する。
【００７９】
ステップＳ８では、第１のプロセッサ７が、グラフＧの項目を変更するか否かを判定する。第１のプロセッサ７は、項目を変更するか否かをユーザーに問うメッセージを第１のディスプレイ８に表示してもよい。
【００８０】
項目を変更することを指示する入力を、第１のユーザインタフェース１０が受け付けると、第１のプロセッサ７は、項目を変更すると判定する。一方、項目を変更しないことを指示する入力を、第１のユーザインタフェース１０が受け付けると、第１のプロセッサ７は、項目を変更しないと判定する。
【００８１】
処理がステップＳ８からＳ３へ戻った場合のユーザーによる入力も、第１のユーザインタフェース１０が受け付ける。
【００８２】
ステップＳ９では、第１のプロセッサ７は、表示されたグラフＧの期間を変更するか否かを判定する。例えば、第１のプロセッサ７は、期間を変更するか否かをユーザーに問うメッセージを第１のディスプレイ８に表示してもよい。
【００８３】
期間を変更することを指示するユーザーによる入力を、第１のユーザインタフェース１０が受け付けると、第１のプロセッサ７は、期間を変更すると判定する。一方、期間を変更しないことを指示するユーザーによる入力を、第１のユーザインタフェース１０が受け付けると、第１のプロセッサ７は、項目を変更しないと判定する。
【００８４】
処理がステップＳ９からステップＳ５へ戻った場合のユーザーの入力も、第１のユーザインタフェース１０が受け付ける。第１のプロセッサ７は、グラフＧを再表示する期間を指示する図形を第１のディスプレイ８に表示する。
【００８５】
ステップＳ１０では、第１のプロセッサ７が終了判定を行なう。
【００８６】
上記の説明は例示的なものであり、限定的なものではない。例えば、図２に示すグラフＧは一例に過ぎず、変更することが可能である。例えば、棒グラフＢＧ１〜ＢＧ６は、使用状態に応じた色を表示しているが、使用状態に応じた模様を表示してもよい。また、グラフＧが表示される複数の項目は一例に過ぎない。例えば、複数の項目は、超音波診断装置１に設けられたバッテリーの電圧や温度を計測するセンサの計測結果を含んでいてもよい。例えば、バッテリーの温度の時間変化を示す線グラフを、駆動電源の時間変化を示す棒グラフＢＧ６やバッテリーの残容量の時間変化を示す線グラフＬＧと並列に共通の時間軸で表示してもよい。これは、バッテリーの劣化状態を判断するための一助となる。
【００８７】
また、図３のフローチャートは一例に過ぎず、処理の順序を入れ替えたり、他の処理を含んでいたりしてもよい。例えば、図３のフローチャートにおいて、ステップＳ４において時間変化データが作成される前に、表示するグラフＧの期間を特定する入力が行なわれてもよい。この場合、特定された期間についてのみ時間変化データが作成されてもよい。また、ステップＳ３における項目を特定する入力が行なわれず、デフォルトで設定された複数の項目について時間変化データが作成されグラフＧが表示されてもよい。
【００８８】
また、上記実施形態は、
プロセッサ、メモリ及びディスプレイを有する医用画像装置のプロセッサによる制御方法であって、
前記プロセッサが、
前記メモリから前記医用画像装置のログデータを読み出し、
該ログデータに含まれる前記医用画像装置の使用状態に関する複数の項目の各々について、使用状態の時間変化を示す時間変化データを作成し、
該時間変化データに基づいて、前記複数の項目の各々についての使用状態の時間変化を示すグラフの各々を、互いに共通する時間軸で並列して前記ディスプレイに表示する、医用画像装置の制御方法としてもよい。
【符号の説明】
【００８９】
１  超音波診断装置
２  超音波プローブ
７  プロセッサ、第１のプロセッサ
８  ディスプレイ、第１のディスプレイ
９  メモリ、第１のメモリ
１０  ユーザインタフェース、第１のユーザインタフェース
１００  システム
１０１  サーバ
１０２  ネットワーク
１０３  第２のプロセッサ
１０４  第２のディスプレイ
１０６  第２のユーザインタフェース
【図１】
0006983481.tif 000002
【図２】
0006983481.tif 000003
【図３】
0006983481.tif 000004
【図４】
0006983481.tif 000005
【図５】
0006983481.tif 000006